(57)【特許請求の範囲】
【請求項１】
盾本体、該盾本体を被装する被装部材、前記盾本体一方面側の被装部材に取り付けられたハンドルと前腕固定具とを具備する防護盾であって、前記前腕固定具は他端部に少なくとも１個以上の第１中空管状部材が付設された第１帯状部材と、他端部に少なくとも１個以上の第２中空管状部材が付設された第２帯状部材とから構成され、且つ、前記第１、及び第２中空管状部材内腔を抜差自在に挿通されるワイヤー部材を有することを特徴とする防護盾。
【請求項２】
前記第１帯状部材は一方面側に第１面ファスナーを有する請求項１に記載の防護盾。
【請求項３】
前記第２帯状部材は一方面側に前記第１面ファスナーと接合する第２面ファスナーを有する請求項１又は２に記載の防護盾。
【請求項４】
前記盾本体は、ＦＲＰで構成されるものである請求項１〜３のいずれかに記載の防護盾。
【請求項５】
前記盾本体は、セラミックとＦＲＰで構成されるものである請求項１〜４のいずれかに記載の防護盾。
【発明の詳細な説明】
【技術分野】
【０００１】
本発明は、防護盾に関する。
【背景技術】
【０００２】
防護盾には地面に立てて使うもの、両手で持って使うもの、片手で持って使うものがある。このうち片手で持って使う盾は、一方の手には盾を持ち、もう一方の手には武器などを携行して、防護とともに必要に応じて反撃もするような状況下において使われる。
片手で持って使う盾は、通常、盾を持つためのハンドルを備えているが、そのハンドルを持つ腕の前腕部を盾に固定すると盾の重量を分散でき、腕への負担を軽減することができることが知られている。特に破壊力が大きな対象脅威を想定した盾は、防護性能を高めると共に使い易くするためには前腕部を固定することが重要となる。
一方、強固に保持できる警備用盾が開示されている（例えば、特許文献１参照）。
【０００３】
【特許文献１】特開２００２−１８１４９７号公報
【発明の開示】
【発明が解決しようとする課題】
【０００４】
本発明は、盾を持つ場合は前腕部を確実に盾に固定でき、盾が不要な場合は素早く前腕部を開放できる防護盾を提供することである。
【課題を解決するための手段】
【０００５】
このような課題は、下記の本発明（１）〜（５）によって達成される。
（１）盾本体、該盾本体を被装する被装部材、前記盾本体一方面側の被装部材に取り付けられたハンドルと前腕固定具とを具備する防護盾であって、前記前腕固定具は他端部に少なくとも１個以上の第１中空管状部材が取り付けられた第１帯状部材と、他端部に少なくとも１個以上の第２中空管状部材を有する第２帯状部材とから構成され、且つ、前記第１、及び第２中空管状部材内腔を抜差自在に挿通されるワイヤー部材を有することを特徴とする防護盾。
（２）前記第１帯状部材は一方面側に第１面ファスナーを有する（１）に記載の防護盾。
（３）前記第２帯状部材は一方面側に前記第１面ファスナーと接合する第２面ファスナーを有する（１）又は（２）に記載の防護盾。
（４） 前記盾本体は、ＦＲＰで構成されるものである（１）〜（３）のいずれかに記載の防護盾。
（５）前記盾本体は、セラミックとＦＲＰで構成されるものである（１）〜（４）のいずれかに記載の防護盾。
【発明の効果】
【０００６】
本発明により、盾を持つ場合は前腕部を確実に盾に固定でき、盾が不要な場合は素早く前腕部を開放できる防護盾を提供できる。
【発明を実施するための最良の形態】
【０００７】
本発明の防護盾は、盾本体、該盾本体を被装する被装部材、前記盾本体一方面側の被装部材に取り付けられたハンドルと前腕固定具とを具備する防護盾であって、前記前腕固定具は他端部に少なくとも１個以上の第１中空管状部材が取り付けられた第１帯状部材と、他端部に少なくとも１個以上の第２中空管状部材を有する第２帯状部材とから構成され、且つ、前記第１、及び第２中空管状部材内腔を抜差自在に挿通されるワイヤー部材を有することを特徴とする。
【０００８】
本発明の防護盾本体の材質は、ＦＲＰを用いることができる。
上記ＦＲＰは、高強度繊維を樹脂で固めたもので、高強度繊維は例えば、ガラス繊維、炭素繊維、アラミド繊維、高強度ポリエチレン繊維等が挙げられるが、耐弾性能の点から、アラミド繊維、高強度ポリエチレン繊維を用いることが好ましい。
【０００９】
また、本発明の防護盾本体の材質は、上記ＦＲＰとセラミックを組み合わせたものを用いることができる。
上記セラミックは、主としてファインセラミックスと呼ばれているもので、主成分としては例えば、アルミナ（純度９０〜９９．９％）系、窒化珪素系、炭化珪素系、ジルコニア系、炭化ホウ素等が挙げられる。耐弾性能の点から、アルミナ、炭化珪素、窒化珪素、炭化ホウ素の中から選ばれた一種以上を好適に用いることができる。セラミックの形状は、盾全体を１枚のセラミック板で構成されていても良いが、多角形のタイル状に加工されたセラミック片を並べてもよい。
【００１０】
セラミックスの物性としては、ビッカース硬度１０００ｋｇ／ｍｍ2以上、曲げ強さ３０ｋｇｆ／ｍｍ2以上、弾性率２．８×１０4ｋｇｆ／ｍｍ2以上が好ましく、上記ＦＲＰと貼り合わせて用いることで良好な耐弾性能を得ることができる。
【００１１】
本発明の防護盾には盾本体を被装する被装部材を用いる。
上記被装部材は、盾本体と形状が合っていることが望ましい。形状に合っていないと収納したときに緩みが生じ、持ったときの安定感が損なわれる場合がある。また、その材質は特に規定するものではないが、ナイロン等の繊維織布を用いると軽く出来るため好ましい。
【００１２】
本発明の防護盾は、盾本体一方面側の被装部材に取付けられたにハンドルを有する。
上記ハンドルは、形状、寸法、材質等を特に規定するものではないが、人が持つことが出来る形状、寸法でなければならない。更にこのような盾を使用する場合、使用者が手袋をしていることが想定されるので、手袋をしていても持つことが出来る形状、寸法であることが望ましい。材質は、盾の重量に耐えられるものであれば特に限定するものではないが、変形しない材質の方が持ったときの安定感が向上するので望ましい。
取付け位置は特に限定されないが、取扱い上からいって盾本体内面側の中央上部が好ましい。
取付け方法は特に限定されるものではなく、ハンドル及び収納袋の材質に応じて荷重に耐えられる取付け方法を選択すればよい。例えばハンドルが樹脂製、収納袋がナイロン布の場合であればリベットで共締めする方法などを用いることができる。
【００１３】
本発明の防護盾は、盾本体一方面側の被装部材に取付けられた前腕固定具を有する。
上記前腕固定具は、前腕太さの個人差に対応できるように調整できることが望ましい。緩いと前腕の固定効果が発揮できなくなり、キツイと前腕が締め付けられる。前腕固定具の幅は、広いほうが広い面積で前腕を固定することになり荷重が分散するため望ましい。また、その材質や厚さは特に規定するものではないが、前腕を固定したときの荷重に耐えられる材質、厚さを選択すればよいが、例えばナイロン等の繊維織布を用いると前腕の形状にフィットするため、前腕の固定効果が得られ望ましい。
前腕固定具と収納袋との固定方法は、それぞれの素材に適した固定方法を選択すればよい。例えばそれぞれの素材がナイロン等の繊維織布であれば、固定方法として縫製を用いると軽量に仕上がり望ましい。
【００１４】
本発明の防護盾に用いられる上記前腕固定具は、他端部に少なくとも１個以上の第１中空管状部材が付設された第１帯状部材を有することを特徴とする。この第１帯状部材は上記第１中空管状部材が付設された部分の反対側の面を上記被装部材に取り付けることができる。
取付け位置は特に限定されないが、上記ハンドルを握ることができる位置が好ましい。上記ハンドルが盾本体内面の中央上部であれば、中央下部の位置であることが好ましい。
【００１５】
上記第１中空管状部材の個数は特に限定ないが、２〜５個が好ましく、２〜４個が取り扱いやすさから更に好ましい。
上記第１中空管部材の形状については、後述のワイヤー部材の形状によるが、略円形のものが好ましい。
また材質は特に限定されず、プラスチック、金属等を用いることができる。
この第１中空管状部材の取付け位置は特に限定されないが、使用勝手からいって後述するワイヤー部材が挿入される部位側に取り付けられることが好ましい。
【００１６】
また、上記第１帯状部材は一方面側に第１面ファスナーを有することが好ましい。
第１面ファスナーは、上腕部を固定するために後述する第２面ファスナーと張り合わせるが、上腕部の寸法に応じて張り合わせ面で寸法調整ができる大きさが望ましい。材質は特に限定するものではなく、例えばナイロン製の面ファスナーであれば軽量に仕上がるため好ましい。また、この固定方法は特に限定するものではなく、素材に応じた固定方法を用いればよく、縫製による固定方法を用いると軽量に仕上がり好ましい。
【００１７】
本発明の本発明の防護盾に用いられる上記前腕固定具は、更に他端部に少なくとも１つ以上の第２中空管状部材が付設された第２帯状部材を有することを特徴とする。この第２帯状部材は、両端共にフリー状態であり、後述するワイヤー部材が第２中空管状部材に挿通された状態で前腕固定具として機能することができる。
上記第２中空管状部材の個数は特に限定ないが、２〜５個が好ましく、２〜４個が取り扱いやすさから更に好ましい。
上記第２中空管状部材の形状については、後述のワイヤー部材の形状によるが、略円形のものが好ましい。
また材質は特に限定されず、プラスチック、金属等を用いることができる。
この第２中空管状部材の取付け位置は特に限定されないが、使用勝手からいって後述するワイヤー部材が挿入される部位より遠位側に取り付けられることが好ましい。
【００１８】
また、上記第２帯状部材は一方面側に第１面ファスナーと接合する第２面ファスナーを有することが好ましい。
第２面ファスナーは、上腕部を固定するために前述の第１面ファスナーと張り合わせるが、上腕部の寸法に応じて張り合わせ面で寸法調整ができる大きさが望ましい。材質は特に限定するものではなく、例えばナイロン製の面ファスナーであれば軽量に仕上がるため好ましい。また、この固定方法は特に限定するものではなく、素材に応じた固定方法を用いればよく、縫製による固定方法を用いると軽量に仕上がり好ましい。
【００１９】
更に、本発明の防護盾に用いられる上記前腕固定具は、上記第１、及び第２中空管状部材内腔を抜差自在に挿通されるワイヤー部材を有することを特徴とする。
このワイヤー部材の寸法、形状、材質は特に限定するものはないが、寸法、形状に関しては、上記第１、及び第２中空管状部材内腔を抜差自在に挿通できるものであればよいが、挿通時に落ちて外れないような嵌合状態であることが好ましい。また、材質は、上記盾の重量の一部を荷重として負担するのに耐えられるものであればよい。
【００２０】
このワイヤー部材を上記第１帯状部材及び第２帯状部材に取り付けられた第１、及び第２中空管状部材の内腔に挿通することにより、前腕をより確実に固定することができる。
また、このワイヤー部材の先端を上記第１帯状部材に取り付けられた第１中空管状部材まで引き抜くと、第２帯状部材に隙間ができ、その隙間から前腕を抜いて防護盾から開放することができる。
【実施例】
【００２１】
以下、本発明の防護盾を図に従って具体的に説明する。
図１に本発明の防護盾外観を示す。
盾本体（１）は被装部材（２）が被装されているが、図示していない。
盾本体（１）の内面側に持つためのハンドル（３）と前腕固定具（４）が被装部材（２）に取り付けられている。
この前腕固定具（４）は、被装部材（２）に取り付けられた端部に第１中空管状部材（７）を付設した第１帯状部材（５）と、第２中空管状部材（８）を付設した第２帯状部材（６）、及び第１中空管状部材（７）と第２中空管状部材（８）の内腔を抜差自在に挿通されたワイヤー部材（９）から構成されている。
図２は、前腕固定具（４）の拡大詳細図及び断面図であり、通常状態では第１中空管状部材（７）と第２中空管状部材（８）の内腔にワイヤー部材（９）が挿通されている。
前腕を固定する時は、第１帯状部材（５）にある第１面ファスナー（１０）を第２帯状部材（６）にある第２面ファスナー（１１）から剥がすことで前腕固定具（４）が開放して前腕を装入し、再度第１面ファスナー（１０）と第２面ファスナー（１１）とを接合して固定する。このとき、面ファスナーによる固定のため、前腕の太さに応じてサイズを調整することができる。
開放するときは、ワイヤー部材（９）の先端を少なくとも第１中空管状部材（７）まで引き抜くことで前腕固定具（４）が開放され、第１面ファスナー（１０）と第２面ファスナー（１１）との接合はそのままに前腕の固定を容易に開放することができる。
【図面の簡単な説明】
【００２２】
【図１】防護盾外観図
【図２】前腕固定具拡大詳細図及び断面図
【符号の説明】
【００２３】
（１）：盾本体
（２）：被装部材
（３）：ハンドル
（４）：前腕固定具
（５）：第１帯状部材
（６）：第２帯状部材
（７）：第１中空管状部材
（８）：第２中空管状部材
（９）：ワイヤー部材
（１０）：第１面ファスナー
（１１）：第２面ファスナー
【図１】
0004609281.tif 000002
【図２】
0004609281.tif 000003